(57)【要約】【課題】  特に専用の反射部材を一体的に備えるヘッドアップディスプレイ装置において、利用者が表示像を最適な表示位置に容易に調整可能なヘッドアップディスプレイ装置を提供する。【解決手段】  ヘッドアップディスプレイ装置は、表示光を発する表示器２と、表示器２を収納するケース体（ハウジング）１と、ケース体１に配設され前記表示光を反射する反射部材（コンバイナ）３と、ケース体１に配設され前記表示光よる表示像の表示位置を調整するための角度調整部と、反射部材３に設けられ前記表示像の最適な表示位置を示す指標部（第一，第二の角部）３ａ，３ｂと、を備えてなる。指標部３ａ，３ｂは、前記表示像との対比関係によって前記表示像の最適な表示位置を示すものである。【選択図】  図２
2008179218.tif 000002
【特許請求の範囲】
【請求項１】
表示光を発する表示器と、前記表示器を収納するケース体と、前記ケース体に配設され前記表示光を反射する反射部材と、前記ケース体に配設され前記表示光よる表示像の表示位置を調整するための角度調整部と、前記反射部材に設けられ前記表示像の最適な表示位置を示す指標部と、を備えてなることを特徴とするヘッドアップディスプレイ装置。
【請求項２】
前記指標部は、前記表示像との対比関係によって前記表示像の最適な表示位置を示すことを特徴とする請求項１に記載のヘッドアップディスプレイ装置装置。
【請求項３】
前記表示器あるいは前記ケース体に設けられ前記反射部材を介して視認可能な他の指標部を有し、前記指標部は前記他の指標部との対比関係によって前記表示像の最適な表示位置を示すことを特徴とする請求項１に記載のヘッドアップディスプレイ装置。
【発明の詳細な説明】
【技術分野】
【０００１】
本発明は、ヘッドアップディスプレイ装置に関し、特に、車両のダッシュボード等の支持面に配設固定されるヘッドアップディスプレイ装置に関するものである。
【背景技術】
【０００２】
従来より、表示装置として、車両のフロントガラスや専用に設けられるコンバイナ等の反射部材に表示器から表示光を投射して表示像（虚像）を表示するヘッドアップディスプレイ装置がある（例えば、特許文献１参照）。前記ヘッドアップディスプレイ装置は、前記表示光を前記反射部材によって反射させ利用者（主として運転者）の視点に導くことによって前記表示像を表示するものである。
【０００３】
また、かかるヘッドアップディスプレイ装置は完成車両に後付けされる場合があり、この場合、利用者の前方に位置するダッシュボードを支持面として配設固定されることが多い。
【０００４】
これに対し、前記ダッシュボードの表面形状は車種によって様々であるため利用者の前方付近に位置するダッシュボードの表面形状がヘッドアップディスプレイ装置の支持面に適していない場合がある。そのため、かかるヘッドアップディスプレイ装置には利用者に対して適切な位置に調整するべく取付角度を調整する機構を設けられている（例えば特許文献２参照）。利用者は、ヘッドアップディスプレイ装置を取り付けるのに際してかかる角度調整機構によって取付角度を調整し、表示像を良好に視認できる位置に調整することができる。
【特許文献１】特開平６−２１９１８４号公報
【特許文献２】特開２００５−１７７９８号公報
【発明の開示】
【発明が解決しようとする課題】
【０００５】
ここで、特に専用の反射部材を一体的に備えるヘッドアップディスプレイ装置においては、フロントガラスへの表示像の写り込みを防止するために前記表示器に出射する光の角度を一定方向に規制するルーバーが備えられていることがあり、表示位置（すなわち表示光の反射方向）によって表示像の表示輝度が大きく異なるといったことが生じる。しかしながら、利用者が前記表示像の最適な表示位置を把握するには試行錯誤しなければならず、表示位置の調整が困難であるという問題点があった。
【０００６】
本発明は、この問題点に鑑みてなされたものであり、特に専用の反射部材を一体的に備えるヘッドアップディスプレイ装置において、利用者が表示像を最適な表示位置に容易に調整可能なヘッドアップディスプレイ装置を提供することを目的とする。
【課題を解決するための手段】
【０００７】
本発明は、前記課題を解決するため、表示光を発する表示器と、前記表示器を収納するケース体と、前記ケース体に配設され前記表示光を反射する反射部材と、前記ケース体に配設され前記表示光よる表示像の表示位置を調整するための角度調整部と、前記反射部材に設けられ前記表示像の最適な表示位置を示す指標部と、を備えてなることを特徴とする。
【０００８】
また、前記指標部は、前記表示像との対比関係によって前記表示像の最適な表示位置を示すことを特徴とする。
【０００９】
また、前記表示器あるいは前記ケース体に設けられ前記反射部材を介して視認可能な他の指標部を有し、前記指標部は前記他の指標部との対比関係によって前記表示像の最適な表示位置を示すことを特徴とする。
【発明の効果】
【００１０】
本発明は、ヘッドアップディスプレイ装置に関し、特に、車両のダッシュボード等の支持面に配設固定されるヘッドアップディスプレイ装置に関するものであって、利用者が表示像を最適な表示位置に容易に調整可能となるものである。
【発明を実施するための最良の形態】
【００１１】
以下、添付図面に基づいて、本発明を車速及びエンジン回転数を表示するヘッドアップディスプレイ装置に適用した実施形態を説明する。
【００１２】
図１は、ヘッドアップディスプレイ装置の全体構成を示している。ヘッドアップディスプレイ装置Ａは車両のダッシュボード（支持面）Ｂ上に配設されるものであり、ハウジング（ケース体）１と、ハウジング１内に配設され表示光Ｌを発する表示器２と、ハウジング１上に配設されるコンバイナ（反射部材）３と、を備えるものである。
【００１３】
ハウジング１は、ＡＢＳ等の樹脂材料からなる上ケース１ａと下ケース１ｂとによって構成されており、上ケース１ａと下ケース１ｂとはネジ部１ｃによって固定されている。また、ハウジング１は、内部に表示器２を配設する載置部１ｄを備えている。また、下ケース１ｂの裏面部１ｅには後述する第二の角度調整部を構成する突出部１ｆが形成されている。
【００１４】
表示器２は、ＴＦＴ型の液晶表示素子，バックライト手段及び表示光Ｌの出射方向を一定方向に規制するルーバーを主に備える液晶表示器であり、ハウジング１内の載置部１ｄに配設されている。また、表示器２は、下ケース１ｂに配設され、背面側に制御手段（図示しない）の支持信号に基づいて前記液晶表示素子を動作させるため駆動回路を備えた回路基板２ａと導電コネクタやＦＰＣ等の図示しない接続部材によって電気的に接続されている。
【００１５】
コンバイナ３は、例えばアクリル等の透光性樹脂をコンバイナ処理してなるものであり、表示器２の上方に位置するようにハウジング１の上ケース１ａに配設固定され、表示器２からの表示光Ｌを利用者の視点Ｄに向けて反射する。表示光Ｌが利用者の視点Ｄに反射されると、利用者は虚像である表示像Ｖと風景とを重ねて視認することができる。また、コンバイナ３はその左右下方側にそれぞれ第一，第二の角部３ａ，３ｂを備えている。第一，第二の角部３ａ，３ｂは後述する第一，第二の角度調整部によって調整される表示像Ｖとの対比関係によって表示像Ｖの最適な表示位置を示す指標部となるものである。また、コンバイナ３の周縁部には保護用のゴム３ｃが取り付けられている。
【００１６】
また、ヘッドアップディスプレイ装置Ａは、シート状の接着部材（図示しない）を介してダッシュボードＢと接合し、ヘッドアップディスプレイ装置ＡをダッシュボードＢ上に配置するための略平板上の取付部４を備える。
【００１７】
取付部４の一方の端部には、連結部５が下ケース１ｂの裏面部１ｅの中央部よりも外側に位置する軸部４ａを中心として回動可能に配設されており、取付部４は連結部５を介してハウジング１の下ケース１ｂの裏面部１ｅに配設されている。連結部５は、下ケース１ｂの突出部１ｆに対応して形成される孔部５ａを備え、孔部５ａに突出部１ｆが嵌入されている。また、突出部１ｆ及び連結部５は孔部５ａを覆うように配設される固定部６によって支持されており、固定部６はネジ部６ａによって突出部１ｆ及び連結部５を支持した状態にて固定されている。固定部６は、突出部１ｆ及び連結部５を支持することによって連結部５が配設位置から外れることを防止している。
【００１８】
ヘッドアップディスプレイ装置Ａは、取付部４と、取付部４の前記端部に設けられる軸部４ａと、取付部４に軸部４ａを中心として回動可能に設けられた連結部５とによって表示器２を角度移動可能な第一の角度調整部を構成している。ここでいう角度移動とは、取付部４に対する表示器２の角度を変更するように表示器２を移動させることを言う。前記利用者は、かかる第一の角度調整部による角度移動によって表示像Ｖの表示位置を上下方向に調整することができる。
【００１９】
また、ヘッドアップディスプレイ装置Ａは、突出部１ｆと突出部１ｆが孔部５ａに嵌入される連結部５とによって表示器２を回転移動可能な第二の角度調整部を構成している。ここでいう回転移動とは、表示器２を、表示器２の表示面に対して略平行に回動させることを言う。前記利用者は前記第二の角度調整部による回転移動によって表示像Ｖの表示位置を左右方向に調整することができる。
【００２０】
かかるヘッドアップディスプレイ装置Ａは、特に前記第一の角度調整部による表示像Ｖの上下方向への表示位置の調整において、表示像Ｖの下端とコンバイナ３に設けられる第一，第二の角部３ａ，３ｂとを合わせる（表示像Ｖの下端が図１における点線部上に位置する）ことによって表示像Ｖが最適な表示位置に表示されていることを示すものである。すなわち、コンバイナ３に表示像Ｖとの対比関係によって表示像Ｖの最適な表示位置を示す指標部（第一，第二の角部３ａ，３ｂ）を設けることによって、利用者は表示像Ｖと前記指標部とを所定の位置関係に合わせることで表示像Ｖを最適な表示位置に調整することができ、実際に試行錯誤することなく容易に最適な表示位置に調整することができる。なお、ここでいう「最適な表示位置」とは、利用者の視点Ｄに反射される表示光Ｌの輝度が最高輝度値となるあるいは最高輝度値に近似する表示位置を意味する。
【００２１】
なお、本実施形態においては、前記指標部として第一，第二の角部３ａ，３ｂが設けられるものであったが、前記指標部はこれに限定されるものではなく、例えばコンバイナ３に凹部，凸部あるいは印刷による所定のマークを設けるものや、コンバイナ３に設けられる部材（例えばゴム３ｃ）に前記指標部を形成するものであってもよい。
【００２２】
また、本発明の実施形態においてコンバイナ３がハウジング１の上ケース１ａに配設固定される構成であったが、本発明においては、反射部材を回動可能に配設する構成であってもよい。
【００２３】
さらに、本発明の他の実施形態として、図４に示すように、表示器２あるいはハウジング１にコンバイナ３を介して（反射して）視認可能な他の指標部１０を設け、前記指標部である第一，第二の角部３ａ，３ｂと他の指標部１０との対比関係によって表示像Ｖの最適な表示位置を示す構成としても良い。図４においては、他の指標部１０はハウジングに印刷形成される矩形状のマークであり、表示器２の非発光時にコンバイナ３を反射して利用者に視認可能に設けられており、前記指標部である第一，第二の角部３ａ，３ｂと水平方向の位置を合わせるように前記第一の角度調整部を操作することで表示像Ｖが最適な表示位置に表示されていることを示すものである。なお、他の指標部は表示器２に設けられてもよく、例えば表示器２に備えられる前記ルーバーに設けられるものであってもよい。
【図面の簡単な説明】
【００２４】
【図１】本発明の実施形態であるヘッドアップディスプレイ装置を示す全体構成図。
【図２】同上ヘッドアップディスプレイ装置を示す図。
【図３】同上ヘッドアップディスプレイ装置を示す断面図。
【図４】本発明の他の実施形態であるヘッドアップディスプレイ装置を示す図。
【符号の説明】
【００２５】
Ａ    ヘッドアップディスプレイ装置
Ｄ    視点
Ｌ    表示光
１    ハウジング（ケース体）
２    表示器
３    コンバイナ（反射部材）
３ａ  第一の角部（指標部）
３ｂ  第二の角部（指標部）
【図１】
2008179218.tif 000003
【図２】
2008179218.tif 000004
【図３】
2008179218.tif 000005
【図４】
2008179218.tif 000006